(57)【要約】インクジェットヘッド（２４１）から、インクの主滴（Ｍ）と、主滴（Ｍ）から分離して形成され主滴（Ｍ）よりも小さい副滴（Ｓ）とを記録媒体（Ｐ）上に吐出して画像を形成するインクジェット記録装置であって、インクジェットヘッド（２４１）と記録媒体（Ｐ）との間に所定方向の空気流を発生させるファンと、ファンを制御する制御部と、を備え、制御部は、インクジェットヘッド（２４１）から吐出されて記録媒体（Ｐ）に着弾する前の副滴（Ｓ）に対して空気流（Ｆ）による外力を加え、主滴（Ｍ）の着弾によって形成される主滴ドットと、当該主滴（Ｍ）から分離された副滴（Ｓ）の着弾によって形成される副滴ドットとの中心位置の距離が近くなるように、ファンにより発生する空気流（Ｆ）の流速を制御する。
2016035521.tif 000002
【特許請求の範囲】
【請求項１】
インクジェットヘッドから、インクの主滴と、主滴から分離して形成され主滴よりも小さい副滴とを記録媒体上に吐出して画像を形成するインクジェット記録装置であって、
前記インクジェットヘッドと前記記録媒体との間に所定方向の気流を発生させる気流発生手段と、
前記気流発生手段を制御する制御部と、を備え、
前記制御部は、前記インクジェットヘッドから吐出されて前記記録媒体に着弾する前の副滴に対して気流による外力を加え、主滴の着弾によって形成される主滴ドットと、当該主滴から分離された副滴の着弾によって形成される副滴ドットとの中心位置の距離が短くなるように、前記気流発生手段により発生する気流の流速を制御することを特徴とするインクジェット記録装置。
【請求項２】
前記制御部は、前記主滴ドットと前記副滴ドットとが重なるように、前記気流発生手段により発生する気流の流速を制御することを特徴とする請求項１に記載のインクジェット記録装置。
【請求項３】
前記記録媒体上に形成されたテストチャートにおける副滴ドットに関する情報を検出する検出部を更に備え、
前記制御部は、前記インクジェットヘッドにより前記記録媒体上にテストチャートを形成させ、前記検出部により前記テストチャートにおける副滴ドットに関する情報を検出させ、検出された情報に基づき前記気流発生手段により発生する気流の流速を制御することを特徴とする請求項１又は２に記載のインクジェット記録装置。
【請求項４】
前記検出部は、前記テストチャートの所定領域を読み込んで画像データとして検出し、
前記画像データに対して画像処理を行い、所定のパラメーター値を算出する画像処理部を更に備え、
前記制御部は、前記検出部により前記画像データを検出させ、前記画像処理部により前記画像データに対して画像処理を行わせて算出された前記パラメーター値が、予め設定された値に近付くように、前記気流発生手段により発生する気流の流速を制御することを特徴とする請求項３に記載のインクジェット記録装置。
【請求項５】
前記検出部は、前記テストチャートの所定領域のインク濃度を検出し、
前記制御部は、前記検出部により前記テストチャートの所定領域のインク濃度を検出させ、検出されたインク濃度が最低となるように前記気流発生手段により発生する気流の流速を制御することを特徴とする請求項３に記載のインクジェット記録装置。
【請求項６】
前記気流発生手段により発生する気流の流速を調整するオフセット値を設定するオフセット値設定部を更に備え、
前記制御部は、前記オフセット値設定部により設定された前記オフセット値に基づいて前記気流発生手段により発生する気流の流速を制御することを特徴とする請求項１又は２に記載のインクジェット記録装置。
【請求項７】
前記オフセット値設定部は、主滴の速度に関する値、前記記録媒体の厚さに関する値、前記記録媒体を支持する支持部と前記インクジェットヘッドとの間の距離に関する値、前記記録媒体と前記インクジェットヘッドとの相対速度に関する値のうち少なくとも一つに基づいて前記オフセット値を設定することを特徴とする請求項６に記載のインクジェット記録装置。
【発明の詳細な説明】
【技術分野】
【０００１】
本発明は、インクジェット記録装置に関する。
【背景技術】
【０００２】
従来、圧電素子等の吐出エネルギー付与手段を有するインクジェットヘッドを備え、当該インクジェットヘッドのノズルから記録媒体に向けてインク滴を吐出し着弾させることで、記録媒体上に画像を形成するインクジェット記録装置が知られている。【０００３】
インクジェット記録装置のノズルからインク滴が吐出されると、記録媒体上に着弾して目的のドットを形成する主滴と、当該主滴の後端部が分離して形成され、記録媒体上に不要なドットを形成する副滴とが発生する場合がある。この副滴は、主滴よりも小さく、主滴と比較して吐出速度が遅いことが知られている。このため、インクジェットヘッドと記録媒体とが相対移動しながらインクが吐出されることで、副滴が主滴の着弾位置からずれて記録媒体上に着弾し、目的のドットとは異なる不要なドットが形成されて画像品質の劣化を生じさせる場合がある。【０００４】
このような問題に対しては、例えば、キャリッジにファン及びダクトが設けられ、当該ファンによりキャリッジとプラテンとの間に風を送り込むことで副滴を拡散させ、副滴がキャリッジの移動による気流に乗って形成される風紋状の画質劣化を防止できるインクジェット記録装置が提供されている（例えば、特許文献１参照）。
【先行技術文献】
【特許文献】
【０００５】
【特許文献１】特開２００５−２７１５５７号公報
【発明の概要】
【発明が解決しようとする課題】
【０００６】
しかしながら、上記したような従来のインクジェット記録装置においては、ファンによって副滴を拡散させるのみであり、風紋状の画質劣化の発生は防止できるが、副滴が主滴の着弾位置からずれて記録媒体上に着弾し、目的のドットとは異なる不要なドットが形成されることに変わりはない。したがって、記録媒体上の非画像領域（主滴ドットが形成されていない領域）に副滴が着弾してしまうと、根本的な画質の劣化を解消することができない。【０００７】
そこで、本発明の課題は、副滴が記録媒体に着弾することで発生する画質の劣化を抑制できるインクジェット記録装置を提供することを目的としている。
【課題を解決するための手段】
【０００８】
以上の課題を解決するため、請求項１に記載の発明は、
インクジェットヘッドから、インクの主滴と、主滴から分離して形成され主滴よりも小さい副滴とを記録媒体上に吐出して画像を形成するインクジェット記録装置であって、
前記インクジェットヘッドと前記記録媒体との間に所定方向の気流を発生させる気流発生手段と、
前記気流発生手段を制御する制御部と、を備え、
前記制御部は、前記インクジェットヘッドから吐出されて前記記録媒体に着弾する前の副滴に対して気流による外力を加え、主滴の着弾によって形成される主滴ドットと、当該主滴から分離された副滴の着弾によって形成される副滴ドットとの中心位置の距離が近くなるように、前記気流発生手段により発生する気流の流速を制御することを特徴とする。【０００９】
請求項２に記載の発明は、請求項１に記載のインクジェット記録装置であって、
前記制御部は、前記主滴ドットと前記副滴ドットとが重なるように、前記気流発生手段により発生する気流の流速を制御することを特徴とする。【００１０】
請求項３に記載の発明は、請求項１又は２に記載のインクジェット記録装置であって、
前記記録媒体上に形成されたテストチャートにおける副滴ドットに関する情報を検出する検出部を更に備え、
前記制御部は、前記インクジェットヘッドにより前記記録媒体上にテストチャートを形成させ、前記検出部により前記テストチャートにおける副滴ドットに関する情報を検出させ、検出された情報に基づき前記気流発生手段により発生する気流の流速を制御することを特徴とする。【００１１】
請求項４に記載の発明は、請求項３に記載のインクジェット記録装置であって、
前記検出部は、前記テストチャートの所定領域を読み込んで画像データとして検出し、
前記画像データに対して画像処理を行い、所定のパラメーター値を算出する画像処理部を更に備え、
前記制御部は、前記検出部により前記画像データを検出させ、前記画像処理部により前記画像データに対して画像処理を行わせて算出された前記パラメーター値が、予め設定された値に近付くように、前記気流発生手段により発生する気流の流速を制御することを特徴とする。【００１２】
請求項５に記載の発明は、請求項３に記載のインクジェット記録装置であって、
前記検出部は、前記テストチャートの所定領域のインク濃度を検出し、
前記制御部は、前記検出部により前記テストチャートの所定領域のインク濃度を検出させ、検出されたインク濃度が最低となるように前記気流発生手段により発生する気流の流速を制御することを特徴とする。【００１３】
請求項６に記載の発明は、請求項１又は２に記載のインクジェット記録装置であって、
前記気流発生手段により発生する気流の流速を調整するオフセット値を設定するオフセット値設定部を更に備え、
前記制御部は、前記オフセット値設定部により設定された前記オフセット値に基づいて前記気流発生手段により発生する気流の流速を制御することを特徴とする。【００１４】
請求項７に記載の発明は、請求項６に記載のインクジェット記録装置であって、
前記オフセット値設定部は、主滴の速度に関する値、前記記録媒体の厚さに関する値、前記記録媒体を支持する支持部と前記インクジェットヘッドとの間の距離に関する値、前記記録媒体と前記インクジェットヘッドとの相対速度に関する値のうち少なくとも一つに基づいて前記オフセット値を設定することを特徴とする。
【発明の効果】
【００１５】
本発明によれば、副滴が記録媒体に着弾することで発生する画質の劣化を抑制できるインクジェット記録装置を提供することができる。
【図面の簡単な説明】
【００１６】
【図１】本発明の一実施形態であるインクジェット記録装置の主要構成を示す図である。
【図２】ヘッドユニットを側方から見た場合のヘッドユニットの内部構成の概略図である。
【図３】ヘッドユニット及びファン等を下方から見た場合の概略構成図である。
【図４】ヘッドユニット及びファン等の一部を示す概略断面図であって、図３におけるIV−IV線に沿った面の矢視断面図である。
【図５】ヘッドユニット及びファン等の一部を示す概略断面図であって、図３におけるV−V線に沿った面の矢視断面図である。
【図６】インクジェット記録装置のブロック図である。
【図７Ａ】インクジェットヘッドから吐出された主滴及び副滴の動きを説明する概略図である。
【図７Ｂ】インクジェットヘッドから吐出された主滴及び副滴の動きを説明する概略図である。
【図７Ｃ】インクジェットヘッドから吐出された主滴及び副滴の動きを説明する概略図である。
【図７Ｄ】インクジェットヘッドから吐出された主滴及び副滴の動きを説明する概略図である。
【図８Ａ】記録媒体上に形成された主滴ドット及び副滴ドットの位置関係の例を示す概略図である。
【図８Ｂ】記録媒体上に形成された主滴ドット及び副滴ドットの位置関係の例を示す概略図である。
【図８Ｃ】記録媒体上に形成された主滴ドット及び副滴ドットの位置関係の例を示す概略図である。
【図９】第２の実施形態のインクジェット記録装置のブロック図である。
【発明を実施するための形態】
【００１７】
以下、本発明の実施の形態に係るインクジェット記録装置について、図面を用いて詳細に説明する。ただし、発明の範囲は図示例に限定されない。なお、以下の説明において、同一の機能及び構成を有するものについては、同一の符号を付し、その説明を省略する。
【００１８】
［第１の実施形態］
図１は、本発明の一実施形態であるインクジェット記録装置１の主要構成を示す図である。
【００１９】
インクジェット記録装置１は、給紙部１０、画像形成部２０、排紙部３０及び制御部４０（図６参照）等を備える。インクジェット記録装置１は、制御部４０の制御下で、給紙部１０に格納された記録媒体Ｐを画像形成部２０に搬送し、画像形成部２０で記録媒体Ｐに画像を形成し、画像が形成された記録媒体Ｐを排紙部３０に排紙する。
【００２０】
給紙部１０は、記録媒体Ｐを格納する給紙トレー１１と、給紙トレー１１から画像形成部２０へ記録媒体Ｐを搬送する搬送部１２とを有する。
【００２１】
給紙トレー１１は、一又は複数の記録媒体Ｐを載置可能に設けられた板状の部材である。給紙トレー１１は、給紙トレー１１に載置された記録媒体Ｐの量に応じて上下動するよう設けられており、当該上下動方向について、最上の記録媒体Ｐが搬送部１２により搬送される位置で保持される。
【００２２】
搬送部１２は、内側が複数（例えば、２本）のローラー１２１、１２２により担持された輪状のベルト１２３を駆動してベルト１２３上の記録媒体Ｐを搬送する搬送機構や、給紙トレー１１上に載置された最上の記録媒体Ｐをベルト１２３上に受け渡す供給部を有する。搬送部１２は、当該供給部によりベルト１２３上に受け渡された記録媒体Ｐをベルト１２３に沿わせるように搬送する。
【００２３】
画像形成部２０は、円筒状の外周面に沿って記録媒体Ｐを担持する画像形成ドラム（支持部）２１、給紙部１０の搬送部１２により搬送された記録媒体Ｐを画像形成ドラム２１に受け渡す受け渡しユニット２２、画像形成ドラム２１に担持された記録媒体Ｐを加熱する用紙加熱部２３、画像形成ドラム２１に担持された記録媒体Ｐにインクを吐出して画像を形成するヘッドユニット２４、記録媒体Ｐ上に吐出されたインクを硬化させるためのエネルギー線を照射する照射部２５、照射部２５の照射を受けた記録媒体Ｐを画像形成ドラム２１から排紙部３０に搬送するデリバリー部２６、画像形成ドラム２１とヘッドユニット２４との間に所定方向の気流を発生させるファン（気流発生手段）２７（図３参照）、記録媒体Ｐ上に形成されたテストチャートにおける副滴ドットに関する情報を検出する検出部２８、当該画像データに対して画像処理を行い所定のパラメーター値を算出する画像処理部２９（図６参照）等を有する。
【００２４】
画像形成ドラム２１は、受け渡しユニット２２から受け渡された記録媒体Ｐを外周面上に担持し、画像が形成された記録媒体Ｐをデリバリー部２６に搬送する。
【００２５】
受け渡しユニット２２は、図１に示すように、給紙部１０の搬送部１２と画像形成ドラム２１との間に介在する位置に設けられる。受け渡しユニット２２は、搬送部１２により搬送された記録媒体Ｐの一端を担持する爪部２２１や、爪部２２１に担持された記録媒体Ｐを誘導する円筒状の受け渡しドラム２２２等を有し、搬送部１２上の記録媒体Ｐを爪部２２１により取り上げて受け渡しドラム２２２の外周面に沿わせることで記録媒体Ｐを画像形成ドラム２１の外周面に沿う向きに誘導して画像形成ドラム２１に受け渡す。
【００２６】
用紙加熱部２３は、例えば、電熱線等を有し、通電に応じて発熱する。用紙加熱部２３は、画像形成ドラム２１の外周面の近傍であって、画像形成ドラム２１の回転による記録媒体Ｐの搬送方向についてヘッドユニット２４の上流側に位置するよう設けられる。用紙加熱部２３は、画像形成ドラム２１に担持されて用紙加熱部２３の近傍を通過する記録媒体Ｐが所定の温度となるようにその発熱を制御部４０により制御される。
【００２７】
また、用紙加熱部２３の近傍には図示しない温度センサーが設けられている。制御部４０は、当該温度センサーにより検知された用紙加熱部２３付近の温度に基づいて、画像形成ドラム２１に担持されて用紙加熱部２３の近傍を通過する記録媒体Ｐが所定の温度となるよう用紙加熱部２３の動作を制御する。
【００２８】
図２は、ヘッドユニット２４を側方から見た場合の内部構成の概略図である。なお、側方から見た場合とは、ヘッドユニット２４の画像形成ドラム２１に対向する面をヘッドユニット２４の下方としたとき、上下方向及びＸ方向に沿うヘッドユニット２４の一側面を正面としてヘッドユニット２４を見た場合を示す。
【００２９】
ヘッドユニット２４は、画像形成ドラム２１に対して所定の距離を置いて画像形成ドラム２１の外周面に沿うよう配置される。
また、図２に示すように、ヘッドユニット２４は、複数のインクジェットヘッド２４１を有する。
【００３０】
インクジェットヘッド２４１は、それぞれが複数のノズル（図示略）を有する。インクジェットヘッド２４１は、複数のノズルからインクを吐出し、画像形成ドラム２１に担持された記録媒体Ｐに画像を形成する。すなわち、インクジェットヘッド２４１は、複数のノズルがヘッドユニット２４の下面側に露出するよう設けられる。
【００３１】
インクジェットヘッド２４１がインクを吐出すると、記録媒体Ｐ上に着弾して目的のドットを形成する主滴Ｍと、当該主滴Ｍから分離し記録媒体Ｐ上に着弾して画像形成に不要なドットを形成する副滴Ｓが発生する（図７Ａ参照）。図８Ａに示すように、主滴Ｍにより記録媒体Ｐ上に主滴ドットＤ１が形成され、副滴Ｓにより記録媒体Ｐ上に副滴ドットＤ２が形成される。記録媒体Ｐ上に形成された複数の主滴ドットＤ１により目的の画像が構成され、副滴ドットＤ２により画像の画質が劣化する。
【００３２】
また、インクジェットヘッド２４１は、制御部４０よりテストチャート形成の指示を受けた場合に、記録媒体Ｐ上にテストチャートを形成することができる。
【００３３】
複数のインクジェットヘッド２４１は、例えば、図２に示すように、二つのインクジェットヘッド２４１を一組とし、インクジェットヘッド２４１の各組がＸ方向に沿って複数設けられたインクジェットヘッド２４１の列をなすよう配置されている。更に、インクジェットヘッド２４１の列は複数設けられ、隣接する列のインクジェットヘッド２４１の組同士の位置関係がＸ方向に直交する方向について千鳥状となるように配置されている。
【００３４】
また、ヘッドユニット２４は、画像形成に用いられる各色（ＣＭＹＫ）について個別に設けられる。図１に示すインクジェット記録装置１には、画像形成ドラム２１の回転に伴い搬送される記録媒体Ｐの搬送方向に沿って、上流から、Ｙ、Ｍ、Ｃ、Ｋの色の順に、各色に対応したヘッドユニット２４が設けられている。
ヘッドユニット２４は、それぞれがＸ方向に沿って個別に移動可能に設けられている。
【００３５】
また、ヘッドユニット２４のＸ方向の幅は、画像形成ドラム２１により担持、搬送される記録媒体ＰのＸ方向の幅を十分カバーできるように設けられており、画像形成に際してヘッドユニット２４は画像形成ドラム２１に対して位置が固定される。すなわち、インクジェット記録装置１は、ワンパス方式のインクジェット記録装置であり、ヘッドユニット２４は、Ｘ方向に沿って並んで配置された複数のインクジェットヘッド２４１の複数のノズルが、画像形成の際にインクジェットヘッド２４１と記録媒体Ｐとが相対的に移動する方向に直交する方向（Ｘ方向）について、記録媒体Ｐの最大幅に応じた数となるよう設けられている。
【００３６】
インクは、ヘッドユニット２４内の貯留部２４２及びサブタンク２４３等に貯留される。貯留部２４２及びサブタンク２４３からインクジェットヘッド２４１にインクが供給される。
【００３７】
照射部２５は、例えば、低圧水銀ランプ等の蛍光管を有し、当該蛍光管の発光により紫外線等のエネルギー線を照射する。照射部２５は、画像形成ドラム２１の外周面の近傍であって、画像形成ドラム２１の回転による記録媒体Ｐの搬送方向についてヘッドユニット２４の下流側に位置するよう設けられる。照射部２５は、画像形成ドラム２１に担持されてインクが吐出された記録媒体Ｐに対してエネルギー線を照射して当該エネルギー線の作用により記録媒体Ｐ上のインクを硬化させる。
【００３８】
なお、紫外線を発する蛍光管は低圧水銀ランプに限らず、数百Ｐａ〜１ＭＰａ程度の動作圧力を有する水銀ランプ、殺菌灯として利用可能な光源、冷陰極管、紫外線レーザー光源、メタルハライドランプ、発光ダイオード等が挙げられるが、紫外線をより高照度で照射可能であって省電力な光源（例えば、発光ダイオード等）であることが望ましい。また、エネルギー線は紫外線に限らず、インクの性質に応じてインクを硬化させる性質を有するエネルギー線であれば良く、光源もエネルギー線に応じて置換される。
【００３９】
デリバリー部２６は、内側が複数（例えば、２本）のローラー２６１、２６２により担持された輪状のベルト２６３を駆動してベルト２６３上の記録媒体Ｐを搬送する搬送機構や、記録媒体Ｐを画像形成ドラム２１から当該搬送機構に受け渡す円筒状の受け渡しローラー２６４等を有する。デリバリー部２６は、受け渡しローラー２６４によりベルト２６３上に受け渡された記録媒体Ｐをベルト２６３に沿わせるように搬送して排紙部３０に送り出す。
【００４０】
図３〜図５、図７Ａ〜図７Ｄ及び図８Ａ〜図８Ｃを参照して、ファン２７等の構造及びそれらの動作について説明する。
図３は、ヘッドユニット２４及びファン２７等を下方から見た場合の概略構成図である。なお、ここでいう下方とは、画像形成ドラム２１の外周面と対向するヘッドユニット２４の一面（下面）側をヘッドユニット２４の下方としている。また、図３においては、ダクト２７１の一部を省略して示している。図４及び図５は、ヘッドユニット２４等の一部を示す概略断面図であって、図４は、図３におけるVI−VI線に沿った面の矢視断面図、図５は、図３におけるV−V線に沿った面の矢視断面図である。図７Ａ〜図７Ｄは、インクジェットヘッド２４１から吐出された主滴Ｍ及び副滴Ｓの動きを説明する概略図であり、図８Ａ〜図８Ｃは、記録媒体Ｐ上に形成された主滴ドットＤ１及び副滴ドットＤ２の位置関係の例を示す概略図である。
【００４１】
ファン２７は、図３〜図５に示すように、画像形成ドラム２１の回転による記録媒体Ｐの搬送方向（図３〜図５中、Ｙ方向）についてヘッドユニット２４の下流側に取り付けられている。ファン２７は、各ヘッドユニット２４のそれぞれに対して取り付けられている。また、ファン２７は、ダクト２７１を介して図４及び図５中の矢印方向に吸気し、複数のインクジェットヘッド２４１と画像形成ドラム２１に担持された記録媒体Ｐとの間に空気流Ｆ（図７Ａ〜図７Ｄ参照）を発生させる。また、ファン２７は、制御部４０により、その回転速度が適宜調整されることで、インクジェットヘッド２４１と記録媒体Ｐとの間に発生する空気流Ｆの流速が制御される。
【００４２】
ダクト２７１は、ヘッドユニット２４の筐体の記録媒体Ｐ搬送方向下流側の側面に固定されて設けられている。ダクト２７１の一端はファン２７近傍に設けられ、ダクト２７１の他端は分岐して複数の吸気口２７２を構成し、当該複数の吸気口２７２がそれぞれ複数のインクジェットヘッド２４１近傍に配置されている。各吸気口２７２は、当該吸気口２７２とインクジェットヘッド２４１との距離が全て同一となるように配置されている。これにより、ファン２７がダクト２７１により複数のインクジェットヘッド２４１のそれぞれに対して同程度の吸気量で吸気し、複数のインクジェットヘッド２４１からそれぞれ吐出されるインク滴に対して外力が加わる。ダクト２７１の形状は、各吸気口２７２近傍においてほぼ同程度の流速の空気流Ｆが発生するように構成されている。
【００４３】
ここで、一般に、インクジェットヘッド２４１からインク滴が吐出されて形成される副滴Ｓは、主滴Ｍよりも重量及び大きさが小さく、主滴Ｍよりも吐出速度が遅い。このため、インクジェットヘッド２４１から吐出された主滴Ｍが記録媒体Ｐ上に着弾するまでの時間と、副滴Ｓが記録媒体Ｐ上に着弾するまでの時間とに差が生じる。また、インクジェットヘッド２４１からインク滴が吐出される際、記録媒体Ｐは画像形成ドラム２１に担持されて移動しているため、主滴Ｍの着弾位置と副滴Ｓの着弾位置とにずれが生じる。このため、図８Ａに示すように、副滴ドットＤ２が、主滴ドットＤ１が形成された領域の外に形成され、本来主滴ドットＤ１のみで形成される画像に画質の劣化が発生する。
【００４４】
このような問題に対して、ファン２７がインクジェットヘッド２４１と記録媒体Ｐとの間に空気流Ｆを発生させることにより、図７Ｂ〜図７Ｄに示すように、インクジェットヘッド２４１から吐出された主滴Ｍ及び副滴Ｓが共に空気流Ｆにより外力を受け、着弾位置が空気流Ｆの方向側にずれる。このとき、副滴Ｓは主滴Ｍに比べて重量が小さく移動速度も遅いため、空気流Ｆの影響を強く受け、副滴Ｓの記録媒体Ｐ搬送方向における移動距離が主滴Ｍよりも大きくなる。これにより、主滴Ｍと副滴Ｓの着弾位置のずれが解消され、主滴ドットＤ１と副滴ドットＤ２との中心位置の距離を短くして両者を重ねることができる。
【００４５】
検出部２８は、画像形成部２０により記録媒体Ｐ上に形成されるテストチャートについて、副滴ドットＤ２に関する情報として、所定領域を読み込んで画像データを検出し、検出結果を画像処理部２９へ出力する。このような検出部２８としては、スキャナー等の公知の測定機器を用いることができる。ただし、スキャナーを用いる場合には、例えば２４００ｄｐｉ（dot per inch）以上の高解像度のものを用いることが好ましい。
【００４６】
画像処理部２９は、検出部２８により検出された画像データに対して画像処理を行い、所定のパラメーター値を算出する。具体的には、例えば、画像処理部２９は、検出された画像データを２値化処理し、２値化画像から主滴ドットＤ１及び副滴ドットＤ２により形成される印字領域の面積率を算出する。
なお、画像処理部２９は、パラメーター値として印字領域の面積率を算出するものとしたが、これに限られるものではない。
【００４７】
排紙部３０は、デリバリー部２６により画像形成部２０から送り出された記録媒体Ｐが載置される板状の排紙トレー３１等を有し、画像形成後の記録媒体Ｐがユーザーにより取り出されるまで格納する。
【００４８】
図６は、インクジェット記録装置１のブロック図である。
制御部４０は、図６に示すように、上記インクジェット記録装置１を構成する各部と接続されており、インクジェット記録装置１を構成する各部を制御する。制御部４０は、ＣＰＵ４１、ＲＡＭ４２及びＲＯＭ４３等を有する。ＣＰＵ４１は、ＲＯＭ４３等の記憶装置から処理内容に応じた各種のプログラムやデータ等を読み出して実行し、実行された処理内容に応じてインクジェット記録装置１の各部の動作を制御する。ＲＡＭ４２は、ＣＰＵ４１により処理される各種のプログラムやデータ等を一時的に記憶する。ＲＯＭ４３は、ＣＰＵ４１等により読み出される各種のプログラムやデータ等を記憶する。
【００４９】
このように構成される制御部４０は、インクジェットヘッド２４１から吐出されて記録媒体Ｐに着弾する前の副滴Ｓに対して空気流Ｆによる外力を加え、主滴Ｍの着弾によって形成される主滴ドットＤ１と、当該主滴Ｍから分離された副滴Ｓの着弾によって形成される副滴ドットＤ２との中心位置の距離が短くなるように、ファン２７により発生する気流の流速を制御する。
【００５０】
具体的には、制御部４０は、記録媒体Ｐ上にテストチャートを形成する前に、まず、各インクジェットヘッド２４１のインク吐出量のばらつきを均一化する補正処理を行う。例えば、各インクジェットヘッド２４１により記録媒体Ｐ上に形成されるドットの径を比較し、ドット径のばらつきが小さくなるように各インクジェットヘッド２４１に印加する電圧量や駆動波形を調整する。
【００５１】
次に、制御部４０は、インク吐出量が均一化された複数のインクジェットヘッド２４１により記録媒体Ｐ上にテストチャートを形成させ、検出部２８により当該テストチャートの所定領域を画像データとして検出させる。
【００５２】
次に、制御部４０は、画像処理部２９により、検出された画像データを２値化処理して得られた２値化画像から、主滴ドットＤ１及び副滴ドットＤ２により形成される印字領域の面積率を算出させる。ここで、画像処理部２９により算出された印字領域の面積率が高い場合には、記録媒体Ｐ上において主滴ドットＤ１が形成されていない領域に副滴ドットＤ２が形成されているものと判断でき、主滴Ｍの着弾位置と副滴Ｓの着弾位置との距離が遠いことが分かる。一方、画像処理部２９により算出された印字領域の面積率が低い場合には、記録媒体Ｐ上において主滴ドットＤ１と副滴ドットＤ２とが一部重なっているものと判断でき、主滴Ｍの着弾位置と副滴Ｓの着弾位置との距離が近いことが分かる。このため、制御部４０は、画像処理部２９により算出した印字領域の面積率が、最低値に近付くように、ファン２７により発生する空気流Ｆの流速を所定量加速又は減速させる。この最低値は予め設定された値（設定値）である。
なお、一つの主滴Ｍから副滴Ｓが複数形成され、印字領域の面積率が最低値であっても、主滴ドットＤ１と複数の副滴ドットＤ２との重なりが小さい場合には、上記設定値としては、印字領域の面積率の最低値ではなく別の値が設定されていても良い。
また、画像処理部２９により算出されるパラメーター値が印字領域の面積率でない場合には、そのパラメーター値に応じて、主滴ドットＤ１と副滴ドットＤ２とが重なるときの理想値が、上記設定値として予め設定されている。
また、上記設定値が複数のインクジェットヘッド２４１毎に設定されている場合には、上記したインク吐出量を均一化する処理を行わないものとしても良い。
【００５３】
これにより、図８Ｂに示すように、テストチャートにおいて副滴ドットＤ２を主滴ドットＤ１の中心に近付けることができる。制御部４０は、インクジェットヘッド２４１によるテストチャートの形成、検出部２８及び画像処理部２９による印字領域の面積率の算出、空気流Ｆの流速の調整を、テストチャートにおける印字領域の面積率が最低値に達するまで繰り返すことにより、図８Ｃに示すように副滴ドットＤ２を主滴ドットＤ１に重ねることができる。このように、空気流Ｆの流速を調整し、調整した流速となるようにファン２７を制御しながら目的の画像形成を行うことで、記録媒体Ｐ上に形成される画像の画質劣化を抑制することができる。
【００５４】
以上、上記した第１の実施形態によれば、制御部４０が、インクジェットヘッド２４１から吐出されて記録媒体Ｐに着弾する前の副滴Ｓに対して空気流Ｆによる外力を加え、主滴Ｍの着弾によって形成される主滴ドットＤ１と、当該主滴Ｍから分離された副滴Ｓの着弾によって形成される副滴ドットＤ２との中心位置の距離が短くなるように、ファン２７により発生する空気流Ｆの流速を制御するので、副滴Ｓが記録媒体Ｐ上に着弾して形成される副滴ドットＤ２を主滴ドットＤ１に近付けて目立たなくすることができる。これにより、記録媒体Ｐ上に形成される画像の画質劣化を抑制して、鮮明な画像を形成することができる。
【００５５】
また、制御部４０が、主滴ドットＤ１と副滴ドットＤ２との中心位置の距離を短くして、両者を重ねるように、ファン２７により発生する空気流Ｆの流速を制御するので、副滴ドットＤ２を更に目立たなくすることができる。これにより、記録媒体Ｐ上に形成される画像の画質劣化を更に抑制し、より鮮明な画像を形成することができる。
【００５６】
また、制御部４０が、インクジェットヘッド２４１により記録媒体Ｐ上にテストチャートを形成させ、テストチャートにおける副滴ドットＤ２に関する情報に基づきファン２７により発生する空気流Ｆの流速を制御するので、用いられるインクの種類、記録媒体Ｐの紙種やサイズ、その他の各種条件に応じて空気流Ｆの流速を適宜最適な値に設定することができる。よって、記録媒体Ｐ上に形成される画像の画質劣化をより確実に抑制することができる。
【００５７】
また、テストチャートの所定領域を読み込んで画像データとして検出する検出部２８及び画像データに対して画像処理を行い所定のパラメーター値を算出する画像処理部２９を備え、制御部４０が、検出部２８により当該画像データを検出させ、画像処理部２９により画像データに対して画像処理を行わせて算出されたパラメーター値が、予め設定された値に近付くように、ファン２７により発生する空気流Ｆの流速を制御するので、簡易な構造で確実に空気流Ｆの流速を最適な値に設定することができる。よって、記録媒体Ｐ上に形成される画像の画質劣化をより確実に抑制することができる。
【００５８】
なお、上記した第１の実施形態では、ヘッドユニット２４を備えるワンパス方式のインクジェット記録装置１としたが、ヘッドが記録媒体Ｐの搬送方向に直交する方向に複数回移動しながら画像を形成する、いわゆるスキャン方式のインクジェット記録装置であっても良い。この場合には、ファン２７は、ヘッドの進行方向に対して反対方向に空気流を発生させるように構成されているものとしても良い。
【００５９】
また、上記した第１の実施形態では、ファン２７は、ヘッドユニット２４に対して記録媒体Ｐ搬送方向の下流側に設けられて吸気することで図７Ａ〜図７Ｄ中の矢印方向に空気流Ｆを発生させるものとしたが、これに限られるものではない。例えば、ファン２７が、ヘッドユニット２４に対して記録媒体Ｐ搬送方向の上流側に設けられて、排気することで、図７Ａ〜図７Ｄ中の矢印方向に空気流Ｆを発生させるものとしても良い。ただし、複数のインクジェットヘッド２４１のそれぞれに対して同程度の流速の空気流Ｆを安定的に発生させる観点から、吸気により空気流Ｆを発生させることが好ましい。
【００６０】
また、上記した第１の実施形態では、ファン２７が各ヘッドユニット２４のそれぞれに対して取り付けられているものとしたが、これに限られるものではなく、例えば、ヘッドユニット２４を構成するＸ方向に沿った２列のインクジェットヘッド２４１の各列に設けられるものとしても良い。この場合には、一方のファンが記録媒体Ｐ搬送方向の下流側に設けられて吸気し、他方のファンが記録媒体Ｐ搬送方向の上流側に設けられて排気するように構成されており、ダクト２７１は各ファンのそれぞれに対して設けられる。
また、ファン２７は、各ヘッドユニット２４が有する複数のインクジェットヘッド２４１のそれぞれに個別に取り付けられているものとしても良い。この場合には、ダクト２７１が設けられていなくても良い。また、ファン２７が複数設けられる場合には、制御部４０は、各ファン２７により発生する空気流Ｆの流速をそれぞれ個別に制御するものとしても良い。
【００６１】
また、上記した第１の実施形態では、ファン２７が設けられているものとしたが、所定方向の気流を発生させることができれば、ファン２７の代わりに他の気流発生手段が設けられていても良い。他の気流発生手段としては、例えば、ブロワやエアポンプ、圧縮封入された気体を噴き出すガスボンベ等を用いることができる。気体を噴き出す構成である場合には、窒素やアルゴン等の不活性気体を用いることができる。
【００６２】
また、上記した第１の実施形態では、テストチャートにおける副滴ドットＤ２に関する情報を検出する検出部が、テストチャートの所定領域を読み込み画像データとして検出するものとしたが、これに限られるものではない。
例えば、検出部２８は、テストチャートの所定領域のインク濃度を検出するものとしても良い。この場合には、制御部４０は、インクジェットヘッド２４１により記録媒体Ｐ上にテストチャートを形成し、当該検出部２８によりテストチャートの所定範囲のインク濃度を検出する。ここで、検出部２８により検出されたインク濃度が高い場合には、記録媒体Ｐ上において主滴ドットＤ１が形成されていない領域に副滴ドットＤ２が形成されているものと判断でき、主滴Ｍの着弾位置と副滴Ｓの着弾位置との距離が遠いことが分かる。一方、検出部２８により検出されたインク濃度が低い場合には、記録媒体Ｐ上において主滴ドットＤ１と副滴ドットＤ２とが一部重なっているものと判断でき、主滴Ｍの着弾位置と副滴Ｓの着弾位置との距離が近いことが分かる。したがって、制御部４０は、検出部２８により検出されたインク濃度が最低となるように、空気流Ｆの流速を制御することにより、図８Ｂ及び図８Ｃに示すように、副滴ドットＤ２を主滴ドットＤ１の中心に近付けることができる。
また、検出部２８は、テストチャートにおける副滴ドットＤ２に関する情報として、テストチャートの印字率や、テストチャートにおける主滴ドットＤ１の大きさや形状、主滴ドットＤ１と副滴ドットＤ２との中心位置の距離等を検出するものとしても良い。
また、テストチャートにおける副滴ドットＤ２に関する情報を検出する検出部２８を備えていないものとしても良い。この場合には、ユーザーが、テストチャートを目視により確認して、操作入力部（図示略）等を介して所定の情報を入力することにより、制御部４０が、入力された情報に基づき、副滴ドットＤ２が主滴ドットＤ１に近付くように、ファン２７により発生する空気流Ｆの流速を制御するものとしても良い。
【００６３】
また、上記した第１の実施形態では、制御部４０がテストチャートにおける印字領域の面積率が予め設定された値に達するまで、テストチャートの形成、印字領域の面積率の算出、空気流Ｆの流速の調整を繰り返すものとしたが、面積率が予め設定された値に達するまでこれらの処理を繰り返さず、所定回数繰り返すのみとしても良い。
【００６４】
また、上記した第１の実施形態では、制御部４０が主滴ドットＤ１と副滴ドットＤ２との中心位置の距離が短くなるようにファン２７により発生する空気流Ｆの流速を制御するものとしたが、記録媒体Ｐ上に形成する画像の印字率が所定値未満である場合にのみ当該制御を行うようにしても良い。すなわち、制御部４０は、記録媒体Ｐ上に形成する画像の印字率が所定値以上である場合等、副滴ドットＤ２による画質の劣化が目立たないような場合には、空気流Ｆの流速をゼロに制御して主滴ドットＤ１と副滴ドットＤ２との中心位置の距離を短くする制御を行わないものとしても良い。
【００６５】
［第２の実施形態］
本発明のインクジェット記録装置の第２の実施形態について図９を参照して以下説明する。以下に説明する以外の構成は上記第１の実施形態のインクジェット記録装置１と略同様であるため、同一の構成については同一の符号を付し、その詳細な説明を省略する。
【００６６】
図９は、第２の実施形態のインクジェット記録装置１のブロック図である。
第２の実施形態に係るインクジェット記録装置１は、検出部２８及び画像処理部２９の代わりに、操作入力部５１及び記憶部５２を備えている。なお、制御部４０及び操作入力部５１がオフセット値設定部として機能する。
【００６７】
操作入力部５１は、インクジェット記録装置１に対して各種指示を入力するためのものである。ユーザーは、操作入力部５１を介して、印刷倍率、用紙サイズ又は印刷枚数等を設定することができる。本発明においては更に、操作入力部５１を介して、主滴Ｍの速度に関する値、記録媒体Ｐの厚さに関する値、記録媒体Ｐを支持する画像形成ドラム２１とインクジェットヘッド２４１との間の距離に関する値、記録媒体Ｐとインクジェットヘッド２４１との相対速度に関する値等を入力することができる。
【００６８】
記憶部５２は、例えば、ＨＤＤ（Hard Disk Drive）等の大容量記録媒体によって構成されており、操作入力部５１により入力された値等を記憶する。記憶部５２は、例えば、主滴Ｍの速度に関する値、記録媒体Ｐの厚さに関する値、画像形成ドラム２１とインクジェットヘッド２４１との間の距離に関する値、記録媒体Ｐとインクジェットヘッド２４１との相対速度に関する値等を記憶する。
【００６９】
制御部４０は、上記第１の実施形態と略同様に構成され、操作入力部５１により入力され記憶部５２に記憶された値のうち少なくとも一つに基づいて、ファン２７により発生する空気流Ｆの流速を調整するオフセット値を設定し、設定されたオフセット値に基づいて空気流Ｆの流速を制御する。
【００７０】
具体的には、まず、ユーザーにより、操作入力部５１を介して、主滴Ｍの速度に関する値、記録媒体Ｐの厚さに関する値、記録媒体Ｐを支持する画像形成ドラム２１とインクジェットヘッド２４１との間の距離に関する値、記録媒体Ｐとインクジェットヘッド２４１との相対速度に関する値等のうち少なくとも一つが入力されると、制御部４０は、当該値を記憶部５２に記憶させる。制御部４０は、記憶部５２に記憶された当該値のうち少なくとも一つに基づいて、ファン２７により発生する空気流Ｆの流速を調整するための補正値を算出し、これをオフセット値として設定する。制御部４０は、設定されたオフセット値に基づいて、空気流Ｆの流速を補正し加速又は減速させる。これにより、図８Ｂ又は図８Ｃに示すように主滴ドットＤ１と副滴ドットＤ２との中心位置の距離を短くし、両者を重ねることができる。このようにして、記録媒体Ｐ上に形成される画像の画質劣化を抑制することができる。
【００７１】
以上、上記した第２の実施形態によれば、操作入力部５１により入力された主滴Ｍの速度に関する値、記録媒体Ｐの厚さに関する値、記録媒体Ｐを支持する画像形成ドラム２１とインクジェットヘッド２４１との間の距離に関する値、記録媒体Ｐとインクジェットヘッド２４１との相対速度に関する値のうち少なくとも一つに基づいて、制御部４０が、ファン２７により発生する空気流Ｆの流速を調整するオフセット値を設定し、設定されたオフセット値に基づいてファン２７により発生する空気流Ｆの流速を制御するので、空気流Ｆの流速の調整を短時間かつ低コストで容易に行うことができる。
【００７２】
なお、上記した第２の実施形態では、操作入力部５１により入力され、記憶部５２に記憶される値として、主滴Ｍの速度に関する値、記録媒体Ｐの厚さに関する値、記録媒体Ｐを支持する画像形成ドラム２１とインクジェットヘッド２４１との間の距離に関する値、記録媒体Ｐとインクジェットヘッド２４１との相対速度に関する値を例示したが、これらに限られるものではない。操作入力部５１により入力され、記憶部５２に記憶される値としては、主滴ドットＤ１と副滴ドットＤ２との中心位置の距離に影響を与え得る因子であればいずれの情報であっても良く、例えば、インクの種類、外部の温度及び湿度等の情報が操作入力部５１により入力され記憶部５２に記憶されても良い。
【００７３】
また、上記した第２の実施形態では、操作入力部５１により入力された値に基づいて制御部４０がオフセット値を設定するものとしたが、これに限られるものではない。すなわち、主滴Ｍの速度に関する値、記録媒体Ｐの厚さに関する値、記録媒体Ｐを支持する画像形成ドラム２１とインクジェットヘッド２４１との間の距離に関する値、記録媒体Ｐとインクジェットヘッド２４１との相対速度に関する値等を所定の検出手段や算出手段により検出又は算出し、得られた値に基づいて制御部４０がオフセット値を設定するものとしても良い。また、上記した検出部２８及び画像処理部２９により算出された印字領域の面積率に基づいて制御部４０がオフセット値を設定するものとしても良い。
【産業上の利用可能性】
【００７４】
以上のように、本発明は、副滴が記録媒体に着弾することで発生する画質の劣化を抑制できるインクジェット記録装置を提供することに適している。
【符号の説明】
【００７５】
１      インクジェット記録装置
２１    画像形成ドラム（支持部）
２４    ヘッドユニット
２７    ファン（気流発生手段）
２８    検出部
２９    画像処理部
４０    制御部（オフセット値設定部）
５１    操作入力部（オフセット値設定部）
５２    記憶部
２４１  インクジェットヘッド
２７１  ダクト
Ｍ      主滴
Ｓ      副滴
Ｐ      記録媒体
【図１】
2016035521.tif 000003
【図２】
2016035521.tif 000004
【図３】
2016035521.tif 000005
【図４】
2016035521.tif 000006
【図５】
2016035521.tif 000007
【図６】
2016035521.tif 000008
【図７Ａ】
2016035521.tif 000009
【図７Ｂ】
2016035521.tif 000010
【図７Ｃ】
2016035521.tif 000011
【図７Ｄ】
2016035521.tif 000012
【図８Ａ】
2016035521.tif 000013
【図８Ｂ】
2016035521.tif 000014
【図８Ｃ】
2016035521.tif 000015
【図９】
2016035521.tif 000016
【国際調査報告】
2016035521.tif 000017
2016035521.tif 000018
2016035521.tif 000019
2016035521.tif 000020